(57)【特許請求の範囲】
【請求項１】
固着具を挿通する貫通孔を備え建物の鼻隠し板に取り付けられる取付部と、該取付部に突設された樋支持部とを備えた軒樋支持具であって、
前記取付部の前記鼻隠し板に当接する面に、前記貫通孔に連通するとともに、該取付部の外方に向かって開口する開口部を備えた凹所が形成され、
この凹所を形成する壁部は、前記貫通孔から開口部へ向けて下る傾斜面を備えていることを特徴とする軒樋支持具。
【請求項２】
前記開口部は、下方へ向けて先鋭形状とされた水切り壁部を備えていることを特徴とする請求項１に記載の軒樋支持具。
【発明の詳細な説明】
【技術分野】
【０００１】
本発明は、家屋の軒先に軒樋を設置するための軒樋支持具に関する。
【背景技術】
【０００２】
一般に、家屋の軒先に軒樋を設置する場合には、軒樋を建物側に支持、固定するための軒樋支持具を建物の鼻隠し板に固定し、この軒樋支持具に軒樋を装着するようにしている。
この場合に用いる軒樋支持具としては、耐腐蝕性、耐衝撃性、難燃性等の観点から、ポリカーボネート樹脂により形成されたものが広く用いられている。
【０００３】
しかしながら、軒樋支持具を固定する建物の鼻隠し板がセメント系の材料により形成されている場合には、ポリカーボネート成形品がセメント系材料のアルカリ成分の影響を受けることから、ポリカーボネート樹脂製の軒樋支持具が鼻隠し板のアルカリ成分と接触し続けることによって、当該軒樋支持具にクラックが生じるという問題があった。
【０００４】
また、鼻隠し板がポリ塩化ビニル被覆鋼板で形成されている場合にも、ポリ塩化ビニルに含まれる可塑剤によって軒樋支持具が影響を受け、上記と同様に軒樋支持具にクラックが生じるという問題があった。
【０００５】
そこで、ポリカーボネート樹脂製の軒樋支持具をアルカリ成分又は可塑剤を含む合成樹脂材料により形成された鼻隠し板に設置する場合を考慮したものとして、従来、下記特許文献１に記載された軒樋支持具が提案されている。
【０００６】
図５は、上記従来の軒樋支持具１の取付部２の構成及び取付構造を示している。軒樋支持具１は、取付部２に突設された樋支持部３（一部のみ図示）に軒樋（不図示）を保持するものである。
【０００７】
軒樋支持具１において、取付部２は、鼻隠し板４に当接する側の固定部５と、樋支持部３と一体に形成されているポリカーボネート樹脂からなる座部６と、固定部５と座部６との間に介在する可塑剤又はアルカリ成分の移行を受けない材料を用いた防止層７とにより構成されている。
【０００８】
軒樋支持具１の取付部２は、上記固定部５、座部６、及びこれらの間に配された防止層７の全ての層を貫通する貫通孔８、８に螺子９、９を挿通し、該螺子９、９を鼻隠し板４に螺入することにより、鼻隠し板４に固定されている。
【０００９】
軒樋支持具１は、取付部２を上記のような構成とすることにより、防止層７にて可塑剤又はアルカリ成分の移行を防止するため、取付部２の座部６が可塑剤又はアルカリ成分による劣化を受けないとされている。
【先行技術文献】
【特許文献】
【００１０】
【特許文献１】特開２００７−２８５０７２号公報
【発明の概要】
【発明が解決しようとする課題】
【００１１】
しかし、上記の軒樋支持具１によると、貫通孔８が螺子９の螺子頭部と鼻隠し板４により塞がれているので、螺子９を鼻隠し板４に螺入する際に生成された可塑剤又はアルカリ成分を含む鼻隠し板４の粉末が貫通孔８の内周面と螺子９との間に溜り、可塑剤を含む粉末が取付部２の座部に作用したり、アルカリ成分を含む粉末が貫通孔８内において生じた結露や外部から侵入した雨水に溶けてアルカリ成分を含んだ水溶液となって、取付部２の座部６に作用し、座部６にクラックを生じさせるおそれがあるという問題があった。
【００１２】
また、取付部２の構造が複雑となり、軒樋支持具１の製作に時間がかかるとともに、製作費用が嵩むという問題があった。
【課題を解決するための手段】
【００１３】
そこで、本発明は、上記課題を解決するために以下の手段を提供している。
請求項１の発明は、固着具を挿通する貫通孔を備え建物の鼻隠し板に取り付けられる取付部と、該取付部に突設された樋支持部とを備えた軒樋支持具であって、前記取付部の前記鼻隠し板に当接する面に、前記貫通孔に連通するとともに、該取付部の外方に向かって開口する開口部を備えた凹所が形成され、この凹所を形成する壁部は、前記貫通孔から開口部へ向けて下る傾斜面を備えていることを特徴とする。
【００１４】
請求項２の発明は、前記開口部が、下方へ向けて先鋭形状とされた水切り壁部を備えていることを特徴とする。
【発明の効果】
【００１５】
本発明の係る軒樋支持具によれば、上記した解決手段によって以下の効果を奏する。
すなわち、請求項１に係る軒樋支持具によれば、取付部に貫通孔に連通した凹所が形成されていることにより、鼻隠し板の粉末及び水分等が貫通孔に浸入した場合にこれらを外部に排出させやすくなり、可塑剤又はアルカリ成分又はこれを含んだ水溶液によって取付部にクラックが発生することを防止できるという効果を奏する。
【００１６】
また、取付部に凹所を形成するというシンプルな構造により鼻隠し板の粉末及び水分等を外部に排出させるため、軒樋支持具の製作のリードタイムを短縮できるとともに、作製コストを低減することができるという効果を奏する。
【００１７】
また、請求項２に係る軒樋支持具によれば、前記開口部に水切り壁部が形成されているため、アルカリ性分を含んだ水滴等が取付部の下方に滴下しやすくなり、アルカリ成分が取付部に付着した状態を回避してクラックの発生をより回避しやすくなるという効果を奏する。
【図面の簡単な説明】
【００１８】
【図１】は、本発明の一実施形態として示した軒樋支持具を鼻隠し板に取り付けた状態を要部を断面視して示した側面図である。
【図２】は、本発明の一実施形態として示した軒樋支持具の取付部を示した背面斜視図である。
【図３】は、本発明の一実施形態として示した軒樋支持具の取付部の要部を拡大して示した背面図である。
【図４】は、本発明の他の実施形態として示した軒樋支持具の取付部の背面斜視図である。
【図５】は、従来の軒樋支持具の鼻隠し板への取付状態の要部を示した断面図である。
【発明を実施するための形態】
【００１９】
以下、図を参照して本発明の実施形態について説明する。
図１は、本発明の一実施形態として示した軒樋支持具２０を示した図である。
この図に示すように、軒樋支持具２０は、アルカリ成分を含むセメント系材料又は可塑剤を含む鼻隠し板２１に取り付けられる取付部２２と、この取付部２２に突設された樋支持部２３とを備えて形成されたものであり、鼻隠し板２１に当接する取付部２２の後面Ｂには、複数の凹所２４〜２６が形成されている。
【００２０】
取付部２２は、図２に示すように、左右方向に延在する上板部２２ａと、この上板部２２ａの左右方向中央部から下方に垂下する下板部２２ｂとにより形成された板体である。
【００２１】
上板部２２ａの左右端部及び下板部２２ｂの下端部には、図１に示す螺子２７を挿通させる貫通孔２８、２８・・が形成されている。
【００２２】
貫通孔２８は、図１に示すように、径の寸法が螺子２７の螺子部２７ａの径寸法と略同寸法に形成された断面円形の孔であり、取付部２２の樋支持部２３が突設された前面Ｆに直交する方向に形成されている。
【００２３】
図２に示すように、取付部２２の後面Ｂには、凹所２４〜２６が形成されている。これらの凹所２４〜２６は、後面Ｂから一定寸法前面Ｆ側へ凹むように形成された部分であり、それぞれ取付部２２の後面Ｂの左右対称位置に形成されている。本実施形態において、凹所は、周囲が壁部に完全に囲まれた凹所２４と、一部において貫通孔に連通し、更に貫通孔よりも下方位置において凹所を形成する壁部が一部開口した開口部を備えた凹所２５、２６の双方を指している。
【００２４】
これらの凹所２４〜２６は、軒樋支持具２０の軽量化及び軒樋支持具２０成形時の樹脂材料の削減を目的として形成されたものである。
また、これら凹所２４〜２６のうち、特に貫通孔２８の近傍に形成された凹所２５、２６は、上記目的に加えて、貫通孔２８内に進入した鼻隠し板２１の粉末又は当該粉末の溶けた水溶液を外部へ排出することを目的として設けられたものである。
【００２５】
図３に示すように、凹所２５は、底面３０とこの底面から立ち上がる側壁面３１ａ〜３１ｄとにより形成されており、その下端部には凹所２５内を下方へ開口させる開口部３２が形成されている。
この凹所２５の貫通孔２８に近接する側壁面３１ｃは、貫通孔２８の軸線を中心とする円弧状の面である。
【００２６】
貫通孔２８と凹所２５とは、貫通孔２８内から鉛直方向下方に延びる溝型の凹所２６によって連通している。この凹所２６は、貫通孔２８内の前記鼻隠し板２１の粉末又は水滴を凹所２５内へ導く通路を構成している。
【００２７】
溝型の凹所２６の幅寸法は、貫通孔２８の径寸法よりもやや小寸法となるよう形成され、また、溝型の凹所２６の深さ寸法は、貫通孔２８から排出される水滴等が凹所２５内にスムーズに流れるように、該凹所２５と同寸法に形成されている。  
【００２８】
この溝型の凹所２６の深さ寸法及び幅寸法は、螺子２７の頭部に押圧される貫通孔２８周辺の壁部の強度を保ち得る限り特に限定されるものではない。
【００２９】
この凹所２６から凹所２５内に導かれる水滴等は、凹所２６が円弧状の側壁面３１ｃの下端部において凹所２５内に開口しているため、側壁面３１ｃの上方への回りこみが防止される。
【００３０】
側壁面３１ｃに連続する側壁面３１ｄは、凹所２６の下方位置Ｐ１において凹所２６から落下する前記粉末、水滴を開口部３２方向へ導く面であり、前記位置Ｐ１から開口部３２へ向けて下る傾斜面とされている。
【００３１】
開口部３２は、側壁面３１ａを下方へ延長した垂直面３３ａと側壁面３１ｄの下端に連続する垂直面３３ｂとの間に形成されている。
この場合、開口部３２を形成する垂直面３３ｂは、上板部２２ａにおける外側面３４の下端部と下方へ向けて先鋭に交わるように形成されており、これら垂直面３３ｂと外側面３４とにより形成される壁部は水切り壁部３５を構成している。
【００３２】
水切り壁部３５は、側壁面３１ｄからの水滴が垂直面３３ｂに導かれた際に、その形状が下方へ向けて先鋭となっているので、当該垂直面３３ｂ側の水滴を外側面３４側に回りこませることがなく、その下端から落下させることができる。
【００３３】
図２に示すように、下板部２２ｂの下端部に形成された貫通孔２８は、この貫通孔２８から鉛直方向下方へ向けて延びるように形成された溝型の凹所２６によって下板部２２ｂの下方へ開口している。この凹所２６も、上板部２２ａの貫通孔２８に連通した溝型の凹所２６の幅寸法及び深さ寸法と同一寸法となるように形成されており、上記と同様に貫通孔２８内の前記粉末又は水滴を外部へ排出する。
【００３４】
上記の構成において、軒樋支持具２０は、例えば耐腐蝕性、耐衝撃性、難燃性等を有するポリカーボネート樹脂等により形成されている。
【００３５】
次に、上記の軒樋支持具２０の施工方法について説明する。
鼻隠し板２１に対し軒樋支持具２０を取り付けるには、図１に示すように、鼻隠し板２１の表面の定められた位置に軒樋支持具２０の取付部２２の後面Ｂを当接させる。そして、螺子２７を取付部２２の貫通孔２８から挿通し、螺子２７を押圧かつ回動して鼻隠し板２１内に螺入する。
【００３６】
この際、螺子２７の回動操作により鼻隠し板２１内に当該鼻隠し板２１の粉末が生成され、この粉末が螺子２７における螺子部２７ａの螺子溝を通って取付部２２側へ排出される。
【００３７】
この鼻隠し板２１の粉末は、取付部２２の貫通孔２８内に移行しようとするが、貫通孔２８には取付部の後面Ｂ側において凹所２６が連通しているので、貫通孔２８の内方へ送り込まれる前に凹所２６を通って下方へ落ちる。
図３に示す取付部２２の上板部２２ａに形成された貫通孔２８においては、前記粉末が凹所２６を通って凹所２５内の側壁面３１ｄ上に落下する。
【００３８】
ここで、前記粉末は側壁面３１ｄが開口部３２へ向けて下るように傾斜しているので一部堆積しても一定量を超えたときに崩れて順次開口部３２方向へ導かれ、最終的に開口部３２から取付部２２の外部下方へ排出される。
【００３９】
また、図２に示す取付部２２の下板部２２ａに形成された貫通孔２８においては、前記粉末が凹所２６を通って直接取付部２２の外部下方へ排出される。
かくして、全ての貫通孔２８に螺子２７を挿入し、これを鼻隠し板２１に螺入し、螺子２７の頭部が取付部２２の前面Ｆに当接するまで緊締することにより軒樋支持具２０の鼻隠し板２１への取り付けが完了する。
【００４０】
このように鼻隠し板２１に取り付けられた軒樋支持具２０には、特に雨天時において雨水が鼻隠し板２１と取付板２２との間の隙間等から貫通孔２８と螺子２７との間に進入することがある。また、天候の変化によって取付部２２が急速に冷やされた場合には、貫通孔２８の内部に結露が生じることがある。
【００４１】
このように、貫通孔２８内に雨水が進入したり結露が生じたりした場合には、貫通孔２８内に残存した鼻隠し板２１の粉末に水滴が滲透し、当該水分を含んだ粉末又は水溶液が取付部２２に接触したまま滞留するおそれがある。
【００４２】
しかしながら、この軒樋支持具２０においては、図３に示すように、例えば取付部２２の上板部２２ａに形成された貫通孔２８内の雨水等の水滴が凹所２６を通って凹所２５内に落下し、側壁面３１ｄに案内されて開口部３２に導かれ、開口部３２から下方へ排出される。
【００４３】
この場合、凹所２６は、側壁面３１ｃの下端部において下方に開口しているので、前記水滴が側壁面３１ｃの上方に回り込むことがない。また、開口部３２を形成する垂直面３３ｂと外側面３４とは下方へ向けて先鋭に形成された水切り壁部３５とされているので、垂直面３３ｂに沿って下方へ流動する水滴が外側面３４側へ回り込むことがなく、水切り壁部３５の下端から順次落下する。
また、取付部２２の下板部２２ｂに形成された貫通孔２８内においては、雨水等の水滴が凹所２６を通って直接下方へ排出される。
【００４４】
このように、軒樋支持具２０によれば、螺子２７の鼻隠し板２０への螺入時に生成されるアルカリ成分や可塑剤を含む粉末が、貫通孔２８に連通した溝型の凹所２６から下方に導出され、凹所２５内の側壁面３１ｄを経て開口部３２から、または溝型の凹所２６から直接外部へ排出されるので、アルカリ成分や可塑剤が滞留し続けることによって起こり得る軒樋支持具２０のクラックの発生を防止することができるという効果が得られる。
【００４５】
また、鼻隠し板２１の粉末が雨水や貫通孔２８内で生じた結露等の水滴に溶けた場合であっても、該鼻隠し板２１の粉末を含む水分は、貫通孔２８に連通した溝型の凹所２６を通って外部に排出されるので、ポリカーボネート製の取付部２２に対し悪影響を与えるアルカリ性水溶液等の物質を長期間滞留させることを防止することができるという効果が得られる。
【００４６】
更に、溝型の凹所２６と凹所２５とを円弧形状の側壁面３１ｃの下端において連通させているので、該水滴の側壁面３１ｃの上方への回りこみを防いで溝型の凹所２６からその下方に位置する凹所２５の導出面３１ｄに該水滴を好適に滴下させ得るという効果が得られる。
【００４７】
また、導出面３１ｄと外側面３４とにより形成された水切り壁部３５も、開口部３２付近において先端が下方に向かって先鋭に突出するように形成されているため、導出面３１ｄを伝ってきた水滴が上板部２２ａの外側面３４に回って留まることを防止して、滴下を好適に促し得るという効果が得られる。
【００４８】
また、アルカリ成分又は可塑剤による悪影響を受け難くするための取付部２２の構造として、取付部２２の後面Ｂに凹所２５、２６を形成するというシンプルな構造としているため、軒樋支持具２０の製作のリードタイムを短縮できるとともに、作製コストを低減することができるという効果が得られる。
【００４９】
図４は、取付部２２の変形例を示すものである。
この取付部２２においては、上板部２２ａの後面Ｂに形成された溝型の凹所２６を貫通孔２８から鉛直方向下方に向けて形成して外側面３４に至る位置にて開口させるとともに、上板部２２ａ及び下板部２２ｂに形成された溝型の凹所２６と外側面３４とにより形成される壁部を下方に向けて先鋭に突出させ水切り壁部３５としている。
【００５０】
このような構成とすることにより、水滴等を貫通孔２８から上板部２２ａに形成された溝型の凹所２６を通して直接滴下できるため、水滴等を速やかに落下させやすくなるという効果が得られる。
【００５１】
また、それぞれの溝型の凹所２６、２６・・の開口部３２において、水切り壁部３５を形成しているため、水滴が上板部２２ａの外側面３４又は下板部２２ｂの下面３９に回って付着するのを防ぎ、下方に落下させやすくなるという効果が得られる。
【符号の説明】
【００５２】
２０  軒樋支持具
２１  鼻隠し板
２２  取付部
２３  樋支持部
２４  凹所
２５  凹所
２６  凹所
２７  固着具
２８  貫通孔
３５  水切り壁部
【図１】
0005548006.tif 000002
【図２】
0005548006.tif 000003
【図３】
0005548006.tif 000004
【図４】
0005548006.tif 000005
【図５】
0005548006.tif 000006